(57)【要約】【課題】本発明は、放射線発生源から放射線が漏洩するのを防止すると共に放射線遮蔽壁を形成する放射線遮蔽パネルを面一にすることができる放射線遮蔽パネル取付具及び放射線遮蔽パネル取付具を使用した放射線遮蔽パネル取付方法を提供する。【解決手段】放射線遮蔽パネル取付具１０は、第１目地対応プレート１２と、第２目地対応プレート１４と、角部対応プレート１６と、から構成されている。第１目地対応プレート１２の両端部には角部対応プレート第１収容部２４が形成され、第２目地対応プレート１４の両端部には角部対応プレート第２収容部３０が形成されている。第１目地対応プレート１２と第２目地対応プレート１４を格子状に固定することにより形成された角部対応プレート収容部３２には前記角部対応プレート１６が配設される。【選択図】図１
2014228293.tif 000002
【特許請求の範囲】
【請求項１】
第１目地対応プレートと、第２目地対応プレートと、角部対応プレートと、から構成される放射線遮蔽パネル取付具であって、
放射線遮蔽材料で帯状に形成された第１目地対応プレートと、この第１目地対応プレートの両端部にそれぞれ形成された角部対応プレート第１収容部と、放射線遮蔽材料で帯状に形成された第２目地対応プレートと、この第２目地対応プレートの両端部にそれぞれ形成された角部対応プレート第２収容部と、前記角部対応プレート第１収容部と前記角部対応プレート第２収容部によって形成された角部対応プレート収容部と、この角部対応プレート収容部に収容されると共に放射線遮蔽材料で形成された角部対応プレートと、を有してなることを特徴とする放射線遮蔽パネル取付具。
【請求項２】
第１目地対応プレートと、第２目地対応プレートと、角部対応プレートと、から構成される放射線遮蔽パネル取付具であって、
前記第１目地対応プレートを構成する放射線遮蔽材料で帯状に形成された第１遮蔽プレート体と、この第１遮蔽プレート体と前記第１目地対応プレートを構成すると共に前記第１遮蔽プレート体に載置固定された帯状の第１プレート体と、前記第１目地対応プレートの両端部にそれぞれ形成された角部対応プレート第１収容部と、前記第２目地対応プレートを構成する放射線遮蔽材料で帯状に形成された第２遮蔽プレート体と、この第２遮蔽プレート体と前記第２目地対応プレートを構成すると共に前記第２遮蔽プレート体に載置固定された帯状の第２プレート体と、前記第２目地対応プレートの両端部にそれぞれ形成された角部対応プレート第２収容部と、前記角部対応プレート第１収容部と前記角部対応プレート第２収容部によって形成された角部対応プレート収容部と、この角部対応プレート収容部に収容されると共に放射線遮蔽材料で形成された角部対応プレートと、を有してなることを特徴とする放射線遮蔽パネル取付具。
【請求項３】
第１目地対応プレートと、第２目地対応プレートと、角部対応プレートと、から構成される放射線遮蔽パネル取付具を使用した放射線遮蔽パネル取付方法であって、
両端部に角部対応プレート第１収容部が形成された第１目地対応プレートを隣り合う第１目地対応プレートの端面同士が当接するように第１目地対応プレートを直線状に連続させて放射線遮蔽パネル取付部に固定する第１工程と、
両端部に角部対応プレート第２収容部が形成された第２目地対応プレートの端面を前記第１目地対応プレートの角部対応プレート第１収容部に当接させて前記第１目地対応プレートと直交するように前記放射線遮蔽パネル取付部に固定して前記第１目地対応プレートと格子状に前記放射線遮蔽パネル取付部に前記第２目地対応プレートを固定する第２工程と、
前記角部対応プレート第１収容部と角部対応プレート第２収容部とによって形成された角部対応プレート収容部に放射線遮蔽材料で形成された角部対応プレートを収容する第３工程と、
前記放射線遮蔽パネルの第１端面を前記第１目地対応プレートに対応させ、前記放射線遮蔽パネルの第２端面を前記第２目地対応プレートに対応させて放射線遮蔽パネルを適宜固定手段で固定する第４工程と、からなることを特徴とする放射線遮蔽パネル取付具を使用した放射線遮蔽パネル取付方法。
【請求項４】
第１目地対応プレートと、第２目地対応プレートと、角部対応プレートと、から構成される放射線遮蔽パネル取付具を使用した放射線遮蔽パネル取付方法であって、
両端部に角部対応プレート第１収容部が形成された第１目地対応プレートを隣り合う第１目地対応プレートの端面同士が当接するように第１目地対応プレートを直線状に連続させて放射線遮蔽パネル取付部に固定する第１工程と、
両端部に角部対応プレート第２収容部が形成された第２目地対応プレートの端面を前記第１目地対応プレートの角部対応プレート第１収容部に当接させて前記第１目地対応プレートと直交するように前記放射線遮蔽パネル取付部に固定して前記第１目地対応プレートと格子状に前記放射線遮蔽パネル取付部に前記第２目地対応プレートを固定する第２工程と、
前記放射線遮蔽パネルの第１端面を前記第１目地対応プレートに対応させ、前記放射線遮蔽パネルの第２端面を前記第２目地対応プレートに対応させて放射線遮蔽パネルを適宜固定手段で固定する第４工程と、
前記角部対応プレート第１収容部と角部対応プレート第２収容部とによって形成された角部対応プレート収容部に放射線遮蔽材料で形成された角部対応プレートを収容する第４工程と、
からなることを特徴とする放射線遮蔽パネル取付具を使用した放射線遮蔽パネル取付方法。
【請求項５】
少なくとも前記第１遮蔽プレート体と前記第２遮蔽プレート体の肉厚寸法を同一にしたことを特徴とする請求項２記載の放射線遮蔽パネル取付具。
【発明の詳細な説明】
【技術分野】
【０００１】
本発明は、放射線発生源を取り囲む壁や天井等の内側に内設される放射線遮蔽パネルからなる放射線遮蔽壁を設ける場合に前記放射線遮蔽パネルを取り付ける放射線遮蔽パネル取付具及び放射線遮蔽パネル取付具を使用した放射線遮蔽パネル取付方法に関する。
【背景技術】
【０００２】
レントゲン機器やＣＴ機器等が設置された病院の放射線室等のような放射線発生源を取り囲む壁や天井の内側には放射線が外部に漏洩するのを防止するために放射線遮蔽壁が設けられている（特許文献１）。
この放射線遮蔽壁の構造は種々のタイプがあるが、図７に示されるような放射線遮蔽パネル１を面状に固定してなる放射線遮蔽壁がある。
この放射線遮蔽パネル１は、矩形状に形成されたベニヤ板１Ａの裏面にベニヤ板１Ａと同一面積の矩形状の鉛板１Ｂを接着剤等の適宜固定手段により固定されて形成されている。
図８に示されるように、前記放射線遮蔽パネル１を使用して放射線遮蔽壁２を形成する場合は既に形成されている放射線遮蔽パネル取付部としての放射線遮蔽パネル取付板３に隣り合う放射線遮蔽パネル１の第１端面１Ｃと放射線遮蔽パネル１の第１端面１Ｃ、隣り合う放射線遮蔽パネル１の第２端面１Ｄと放射線遮蔽パネル１の第２端面１Ｄを密着当接させて多数の放射線遮蔽パネル１を面状に放射線遮蔽パネル取付板３に固定して放射線遮蔽壁２を形成している。
しかし、放射線遮蔽パネル１の第１端面１Ｃと放射線遮蔽パネル１の第１端面１Ｃ、放射線遮蔽パネル１の第２端面１Ｄと放射線遮蔽パネル１の第２端面１Ｄを密着当接させても目地部４から放射線が漏洩してしまう。
そこで、前記放射線の漏洩を防止するために放射線遮蔽パネル１の目地部４に対応する放射線遮蔽パネル取付板３に予め帯状の鉛プレート５を格子状に固定しておいてから前記放射線遮蔽パネル１を連続して放射線遮蔽パネル取付板３に固定して放射線遮蔽パネル１の目地部４から放射線が外部に漏洩するのを防止している。
しかし、前記鉛プレート５と鉛プレート５が交差する鉛プレート交差部６は鉛プレート５と鉛プレート５が重なり合うため、鉛プレート交差部６は盛り上がる。
この結果、放射線遮蔽パネル１を放射線遮蔽パネル取付板３に適宜固定手段で固定すると鉛プレート交差部６に対応する放射線遮蔽パネル１の部分が盛り上がり、放射線遮蔽パネル１の表面を面一に固定することが困難になり、放射線遮蔽パネル１を固定した後に行う放射線遮蔽壁２の内装作業等に支障が生じたり外観品質が低下するという不具合がある。
【先行技術文献】
【特許文献】
【０００３】
【特許文献１】特開平６−２９４８９５号
【発明の概要】
【発明が解決しようとする課題】
【０００４】
本発明の目的は、放射線発生源を取り囲む壁や天井等から放射線が漏洩するのを防止すると共に放射線遮蔽壁を形成する放射線遮蔽パネルを面一に固定することができる放射線遮蔽パネル取付具及び放射線遮蔽パネル取付具を使用した放射線遮蔽パネル取付方法を提供するものである。
【課題を解決するための手段】
【０００５】
請求項１の発明は、第１目地対応プレートと、第２目地対応プレートと、角部対応プレートと、から構成される放射線遮蔽パネル取付具であって、
放射線遮蔽材料で帯状に形成された第１目地対応プレートと、この第１目地対応プレートの両端部にそれぞれ形成された角部対応プレート第１収容部と、放射線遮蔽材料で帯状に形成された第２目地対応プレートと、この第２目地対応プレートの両端部にそれぞれ形成された角部対応プレート第２収容部と、前記角部対応プレート第１収容部と前記角部対応プレート第２収容部によって形成された角部対応プレート収容部と、この角部対応プレート収容部に収容されると共に放射線遮蔽材料で形成された角部対応プレートと、を有してなることを特徴としている。
請求項２の発明は、第１目地対応プレートと、第２目地対応プレートと、角部対応プレートと、から構成される放射線遮蔽パネル取付具であって、
前記第１目地対応プレートを構成する放射線遮蔽材料で帯状に形成された第１遮蔽プレート体と、この第１遮蔽プレート体と前記第１目地対応プレートを構成すると共に前記第１遮蔽プレート体に載置固定された帯状の第１プレート体と、前記第１目地対応プレートの両端部にそれぞれ形成された角部対応プレート第１収容部と、前記第２目地対応プレートを構成する放射線遮蔽材料で帯状に形成された第２遮蔽プレート体と、この第２遮蔽プレート体と前記第２目地対応プレートを構成すると共に前記第２遮蔽プレート体に載置固定された帯状の第２プレート体と、前記第２目地対応プレートの両端部にそれぞれ形成された角部対応プレート第２収容部と、前記角部対応プレート第１収容部と前記角部対応プレート第２収容部によって形成された角部対応プレート収容部と、この角部対応プレート収容部に収容されると共に放射線遮蔽材料で形成された角部対応プレートと、を有してなることを特徴としている。
請求項３の発明は、第１目地対応プレートと、第２目地対応プレートと、角部対応プレートと、から構成される放射線遮蔽パネル取付具を使用した放射線遮蔽パネル取付方法であって、
両端部に角部対応プレート第１収容部が形成された第１目地対応プレートを隣り合う第１目地対応プレートの端面同士が当接するように第１目地対応プレートを直線状に連続させて放射線遮蔽パネル取付部に固定する第１工程と、
両端部に角部対応プレート第２収容部が形成された第２目地対応プレートの端面を前記第１目地対応プレートの角部対応プレート第１収容部に当接させて前記第１目地対応プレートと直交するように前記放射線遮蔽パネル取付部に固定して前記第１目地対応プレートと格子状に前記放射線遮蔽パネル取付部に前記第２目地対応プレートを固定する第２工程と、
前記角部対応プレート第１収容部と角部対応プレート第２収容部とによって形成された角部対応プレート収容部に放射線遮蔽材料で形成された角部対応プレートを収容する第３工程と、
前記放射線遮蔽パネルの第１端面を前記第１目地対応プレートに対応させ、前記放射線遮蔽パネルの第２端面を前記第２目地対応プレートに対応させて放射線遮蔽パネルを適宜固定手段で固定する第４工程と、からなることを特徴としている。
請求項４の発明は、第１目地対応プレートと、第２目地対応プレートと、角部対応プレートと、から構成される放射線遮蔽パネル取付具を使用した放射線遮蔽パネル取付方法であって、
両端部に角部対応プレート第１収容部が形成された第１目地対応プレートを隣り合う第１目地対応プレートの端面同士が当接するように第１目地対応プレートを直線状に連続させて放射線遮蔽パネル取付部に固定する第１工程と、
両端部に角部対応プレート第２収容部が形成された第２目地対応プレートの端面を前記第１目地対応プレートの角部対応プレート第１収容部に当接させて前記第１目地対応プレートと直交するように前記放射線遮蔽パネル取付部に固定して前記第１目地対応プレートと格子状に前記放射線遮蔽パネル取付部に前記第２目地対応プレートを固定する第２工程と、
前記放射線遮蔽パネルの第１端面を前記第１目地対応プレートに対応させ、前記放射線遮蔽パネルの第２端面を前記第２目地対応プレートに対応させて放射線遮蔽パネルを適宜固定手段で固定する第４工程と、
前記角部対応プレート第１収容部と角部対応プレート第２収容部とによって形成された角部対応プレート収容部に放射線遮蔽材料で形成された角部対応プレートを収容する第４工程と、
からなることを特徴としている。
請求項５の発明は、少なくとも前記第１遮蔽プレート体と前記第２遮蔽プレート体の肉厚寸法を同一にしたことを特徴としている。
【発明の効果】
【０００６】
本発明の放射線遮蔽パネル取付具は、放射線遮蔽パネルを面一に取り付けることができるという優れた効果を有する。
本発明の放射線遮蔽パネル取付具を使用した放射線遮蔽パネルの取付方法は、容易に放射線遮蔽パネルを放射線遮蔽パネル取付部に面一に取り付けることができるという優れた効果を有する。
【図面の簡単な説明】
【０００７】
【図１】放射線遮蔽パネル取付具の全体斜視図である。
【図２】放射線遮蔽パネル取付具の第１目地対応プレートと第２目地対応プレートを格子状に固定した正面図である。
【図３】放射線遮蔽パネル取付具の第１目地対応プレートと第２目地対応プレートと角部遮蔽プレートを固定した正面図である。
【図４】固定された放射線遮蔽パネル取付具の一部に放射線遮蔽パネルを取り付けた状態の正面図である。
【図５】固定された放射線遮蔽パネル取付具に多数の放射線遮蔽パネルを取り付けた状態の正面図である。
【図６】放射線遮蔽パネル取付具の第１目地対応プレートと第２目地対応プレートに放射線遮蔽パネルを固定した正面図である。
【図７】放射線遮蔽パネルの斜視図である。
【図８】従来例で放射線遮蔽パネルを取り付けた状態の正面図である。
【発明を実施するための形態】
【０００８】
発明を実施するために最良の形態の例として以下のような実施例を示す。
【実施例１】
【０００９】
以下、本発明の放射線遮蔽パネル取付具の一実施例を説明する。
図１に示されるように、本発明の放射線遮蔽パネル取付具１０は、第１目地対応プレート１２と、第２目地対応プレート１４と、角部対応プレート１６と、から構成されている。
前記第１目地対応プレート１２は放射線遮蔽材料としての鉛を帯状にして形成された第１遮蔽プレート体２０の上に帯状のベニヤ板で形成された第１プレート体２２を接着剤で接着して形成されている。前記第１遮蔽プレート体２０の長さ寸法Ｌ１は前記第１プレート体２２の長さ寸法Ｌ２より長く形成されている。これにより、前記第１目地対応プレート１２の両端部には角部対応プレート第１収容部２４，２４が形成されている。これら角部対応プレート第１収容部２４，２４の長さ寸法Ｌ３は同じ長さ寸法に設定されている。なお、前記第１遮蔽プレート体２０の幅寸法Ｗ１と前記第１プレート体２２の幅寸法Ｗ２は同じ幅寸法に設定されている。
また、前記第１遮蔽プレート体２０の肉厚寸法Ｔ１と前記第１プレート体２２の肉厚寸法Ｔ２は同じ肉厚寸法に設定されている。
前記第２目地対応プレート１４は放射線遮蔽材料としての鉛を帯状にして形成された第２遮蔽プレート体２６の上に帯状のベニヤ板で形成された第２プレート体２８を接着剤で接着して形成されている。前記第２遮蔽プレート体２６の長さ寸法Ｌ４は前記第２プレート体２８の長さ寸法Ｌ５より長く形成されている。これにより、前記第２目地対応プレート１４の両端部には角部対応プレート第２収容部３０，３０が形成されている。これら角部対応プレート第２収容部３０，３０の長さ寸法Ｌ６は同じ長さ寸法に設定されている。なお、前記第２遮蔽プレート体２６の幅寸法Ｗ３と前記第２プレート体２８の幅寸法Ｗ４は同じ幅寸法に設定されている。また、前記第２遮蔽プレート体２６の幅寸法Ｗ３は前記角部対応プレート第１収容部２４の長さ寸法Ｌ３の２倍の寸法に設定されている。
前記第２遮蔽プレート体２６の肉厚寸法Ｔ３と前記第２プレート体２８の肉厚寸法Ｔ４は同じ肉厚寸法に形成されている。
なお、前記第１遮蔽プレート体２０の肉厚寸法Ｔ１、前記第１プレート体２２の肉厚寸法Ｔ２、前記第２遮蔽プレート体２６の肉厚寸法Ｔ３、前記第２プレート体２８の肉厚寸法Ｔ４は同じ肉厚寸法に設定されている。
前記角部対応プレート１６は放射線遮蔽材料としての鉛を矩形状にして形成されている。この角部対応プレート１６の長さ寸法Ｌ７は、前記第１遮蔽プレート体２０の幅寸法Ｗ１と角部対応プレート第２収容部３０の長さ寸法Ｌ６の２倍の長さ寸法を加算した寸法に設定されている。また、角部対応プレート１６の幅寸法Ｗ５は、前記第２遮蔽プレート体２６の幅寸法Ｗ３と同じ幅寸法に設定されている。前記角部対応プレート１６の肉厚寸法Ｔ５は、前記第１プレート体２２の肉厚寸法Ｔ２、前記第２プレート体２８の肉厚寸法Ｔ４と同じ厚み寸法に設定されている。
前記第１目地対応プレート１２は前記放射線遮蔽パネル１の第１端面１Ｃに沿うように配設され、第２目地対応プレート１４は放射線遮蔽パネル１の第２端面１Ｄに沿うように配設されるようになっている。また、前記角部対応プレート１６は放射線遮蔽パネル１の角部に配設されるようになっている。
図２に示されるように、図２の左右方向に第１目地対応プレート１２を連続配設して、放射線遮蔽パネル取付部としての放射線遮蔽パネル取付板３に適宜固定手段を介して固定する。また、図２の上下方向に第２目地対応プレート１４を連続配設して、前記放射線遮蔽パネル取付板３に適宜固定手段を介して固定する。
前記第１目地対応プレート１２と前記第２目地対応プレート１４を連続配設して格子状に放射線遮蔽パネル取付板３に固定することにより第１目地対応プレート１２の角部対応プレート第１収容部２４と第２目地対応プレート１４の角部対応プレート第２収容部３０とによって、角部対応プレート収容部３２が形成される。
この結果、図３に示されるように前記角部対応プレート１６を角部対応プレート収容部３２に収容して配設することができる。
従って、前記第１目地対応プレート１２と前記第１目地対応プレート１２との当接面及び前記第２目地対応プレート１４と前記第２目地対応プレート１４との当接面は前記角部対応プレート１６によって遮蔽される。
従って、図５に示されるように放射線遮蔽パネル１の第１端面１Ｃと放射線遮蔽パネル１の第１端面１Ｃの目地４、放射線遮蔽パネル１の第２端面１Ｄと放射線遮蔽パネル１の第２端面１Ｄの目地４は前記第１目地対応プレート１２と前記第２目地対応プレート１４と前記角部対応プレート１６によって遮蔽されるので放射線の漏洩を防止できる。
図１に示されるように、前記第１遮蔽プレート体２０の肉厚寸法Ｔ１と前記第２遮蔽プレート体２６の肉厚寸法Ｔ３は同一寸法であるので、前記角部対応プレート収容部３２の底面は面一になる。
さらに、前記第１プレート体２２の肉厚寸法Ｔ２と前記第２プレート体２８の肉厚寸法Ｔ４と前記角部対応プレート１６の肉厚寸法Ｔ５は同一である。
従って、前記角部対応プレート収容部３２に角部対応プレート１６を収容すると、前記第１プレート体２２の表面と前記第２プレート体２８の表面と前記角部対応プレート１６の表面は面一になる。
この結果、前記第１目地対応プレート１２と前記第２目地対応プレート１４と前記角部対応プレート１６の表面に多数の放射線遮蔽パネル１を適宜固定手段で取り付けた場合、多数の放射線遮蔽パネル１の表面を面一にして放射線遮蔽壁２を設けることができるので、放射線遮蔽壁２の内装作業を円滑に行うことができると共に放射線遮蔽壁２の外観品質の維持を図ることができる。
【００１０】
次に、放射線遮蔽パネル取付具である前記第１目地対応プレート１２と前記第２目地対応プレート１４と前記角部対応プレート１６を使用した放射線遮蔽パネル取付方法の一実施例を放射線室の壁の内側に放射線遮蔽壁２を設ける場合を例にして説明する。
図２に示されるように、既に設けられた放射線遮蔽パネル取付部としての放射線遮蔽パネル取付板３の内側面に図２左右方向に向かって第１目地対応プレート１２をビス等の適宜手段で固定する。この時、第１目地対応プレート１２の角部対応プレート第１収容部２４の端面と隣り合う第１目地対応プレート１２の角部対応プレート第１収容部２４の端面を密着当接させて第１目地対応プレート１２を連続してビス等の適宜固定手段で固定する。
一方、放射線遮蔽パネル取付板３の内側面に図２上下方向に向かって第２目地対応プレート１４をビス等の適宜固定手段で固定する。
この時、第２目地対応プレート１４の角部対応プレート第２収容部３０の端面を前記第１目地対応プレート１２の角部対応プレート第１収容部２４に密着当接させて第２目地対応プレート１４を連続して固定する。
この結果、前記放射線遮蔽パネル取付板３の内側面には前記第１目地対応プレート１２と前記第２目地対応プレート１４が格子状に固定される（図２参照）。
また、上記方法により前記第１目地対応プレート１２と前記第２目地対応プレート１４を格子状に固定することにより前記角部対応プレート第１収容部２４，２４と角部対応プレート第２収容部３０，３０によって角部対応プレート収容部３２が形成される。
次に、この角部対応プレート収容部３２に図３に示すように角部対応プレート１６を収容して取り付ける。
そして、図４に示されるように前記第１目地対応プレート１２と前記第２目地対応プレート１４と前記角部対応プレート１６の表面に前記放射線遮蔽パネル１の第１端面１Ｃを前記第１目地対応プレート１２に対応させ、前記放射線遮蔽パネル１の第２端面１Ｄを前記第２目地対応プレート１４に対応させて放射線遮蔽パネル１をビス等の適宜固定手段で固定する。
同様にして、前記放射線遮蔽パネル１を連続して固定して放射線遮蔽パネル１を図５に示されるように面状に固定して放射線遮蔽壁２を設ける。
従って、放射線遮蔽パネル１の第１端面１Ｃと隣り合う放射線遮蔽パネル１の第１端面１Ｃの目地部４から放射線が漏洩しても前記第１目地対応プレート１２によって漏洩を遮蔽され、放射線遮蔽パネル１の第２端面１Ｄと隣り合う放射線遮蔽パネル１の第２端面１Ｄの目地部４から放射線が漏洩しても前記第２目地対応プレート１４によって漏洩を遮蔽される。
また、放射線遮蔽パネル１の角部の目地部４から放射線が漏洩しても角部対応プレート１６によって遮蔽される。
前記角部対応プレート１６の表面は前記第１目地対応プレート１２、前記第２目地対応プレート１４の表面と面一であるため、放射線遮蔽パネル１の表面を面一にして放射線遮蔽壁２を設けることができるため、放射線遮蔽壁２の内装作業を円滑に行うことができると共に放射線遮蔽壁２の内装の外観品質が低下するのを防止することができる。
【００１１】
なお、放射線遮蔽パネル取付具である前記第１目地対応プレート１２と前記第２目地対応プレート１４と前記角部対応プレート１６を使用した放射線遮蔽パネル取付方法は上記一実施例に限定されるものではない。
例えば、前記第一実施例の方法と同様にして前記放射線遮蔽パネル取付板３の内側面に前記第１目地対応プレート１２と前記第２目地対応プレート１４を格子状に固定する（図２参照）。
次に、図６に示されるように前記第１目地対応プレート１２と前記第２目地対応プレート１４と前記角部対応プレート１６の表面に前記放射線遮蔽パネル１の第１端面１Ｃを前記第１目地対応プレート１２に対応させ、前記放射線遮蔽パネル１の第２端面１Ｄを前記第２目地対応プレート１４に対応させて放射線遮蔽パネル１をビス等の適宜固定手段で固定する。
次に、角部対応プレート収容部３２の露出している部分から角部対応プレート１６を斜め横方向からスライドさせて角部対応プレート収容部３２に収容することにより、図４に示す状態にしてもよい。
そして、同様にして、前記放射線遮蔽パネル１を固定すると共に角部対応プレート収容部３２の露出している部分から角部対応プレート１６を斜め横方向からスライドさせて角部対応プレート収容部３２に収容して放射線遮蔽壁２を設けるようにしてもよい。
この方法は角部対応プレート収容部３２の露出している部分から角部対応プレート１６を斜め横方向からスライドさせて収容するので、角部対応プレート収容部３２に収容された角部対応プレート１６は放射線遮蔽パネル１に一部を支持されるため天井の内側に放射線遮蔽壁２設ける場合等のように角部対応プレート収容部３２から角部対応プレート１６が落下し易い場合に角部対応プレート１６が落下するのを防止できるという利点がある。
【００１２】
なお、実施例では前記第１遮蔽プレート体２０の肉厚寸法Ｔ１、前記第１プレート体２２の肉厚寸法Ｔ２、前記第２遮蔽プレート体２６の肉厚寸法Ｔ３、前記第２プレート体２８の肉厚寸法Ｔ４を同じ肉厚寸法に設定したが、必ずしも前記第１遮蔽プレート体２０の肉厚寸法Ｔ１、前記第１プレート体２２の肉厚寸法Ｔ２、前記第２遮蔽プレート体２６の肉厚寸法Ｔ３、前記第２プレート体２８の肉厚寸法Ｔ４が同じ肉厚寸法でなくても前記第１遮蔽プレート体２０の肉厚寸法Ｔ１、前記第２遮蔽プレート体２６の肉厚寸法Ｔ３が同じ肉厚寸法で、前記第１プレート体２２の肉厚寸法Ｔ２と前記第２プレート体２８の肉厚寸法Ｔ４が同じ肉厚寸法であればよい。
また、実施例では放射線遮蔽材料として鉛を示したが、放射線を遮蔽できる材料であれば鉛に限定されるものではなく、鉛以外の材料を使用してもよいことは勿論である。
なお、実施例では第１プレート体２２と第２プレート体２８をベニヤ板で形成した場合を示したが、第１プレート体２２、第２プレート体２８はベニヤ板以外の材料で形成してもよいことは勿論である。
【産業上の利用可能性】
【００１３】
本発明の放射線遮蔽パネル取付具及び放射線遮蔽パネル取付具を使用した放射線遮蔽パネル取付方法は放射線発生源を取り囲む部分であれば、放射線室の壁や天井以外にも使用することができる。
【符号の説明】
【００１４】
１      放射線遮蔽パネル
１Ａ    ベニヤ板
１Ｂ    鉛板
１Ｃ    第１端面
１Ｄ    第２端面
２      放射線遮蔽壁
３      放射線遮蔽パネル取付板
４      目地部
５      鉛プレート
６      鉛プレート交差部
１０    放射線遮蔽パネル取付具
１２    第１目地対応プレート
１４    第２目地対応プレート
１６    角部対応プレート
２０    第１遮蔽プレート体
２２    第１プレート体
２４    角部対応プレート第１収容部
２６    第２遮蔽プレート体
２８    第２プレート体
３０    角部対応プレート第２収容部
３２    角部対応プレート収容部
【図１】
2014228293.tif 000003
【図２】
2014228293.tif 000004
【図３】
2014228293.tif 000005
【図４】
2014228293.tif 000006
【図５】
2014228293.tif 000007
【図６】
2014228293.tif 000008
【図７】
2014228293.tif 000009
【図８】
2014228293.tif 000010